(57)【要約】      （修正有）【課題】旅行かばん用ダイヤル式施錠装置のダイヤル数字を見やすくする。【解決手段】合成繊維材または合成樹脂材などにより形成した旅行かばんを構成するかばん本体と蓋体を開閉可能にするスライドファスナーのスライダーを操作する把手片をロック・アンロックして施錠するダイヤル式施錠装置において、複数のダイヤル円盤２５ａにそれぞれ表記した数字を組み合わせて施錠するダイヤル錠１２を備えたケース本体に、強制解除鍵で開閉するシリンダー錠４５を備えた開錠操作片４２と、スライドファスナーの把手片をロックする挿入溝部１６と、ダイヤル錠１２の各ダイヤル円盤２５ａにそれぞれ表記した数字を表示する表示窓部１８ａを有した蓋体１５を取付けてなり、蓋体１５に設けた表示窓部に、ダイヤル円盤２５ａに表記した数字を拡大表示する拡大レンズ２２ａを取付けてなることを特徴とする。【選択図】図３
0003193601.tif 000002
【実用新案登録請求の範囲】
【請求項１】
合成繊維材または合成樹脂材などにより形成した旅行かばん（１）を構成するかばん本体（２）と蓋体（３）を開閉可能にするスライドファスナー（４）のスライダー（５）を操作する把手片（６）をロック・アンロックして施錠するダイヤル式施錠装置において、
複数のダイヤル円盤（２５）にそれぞれ表記した数字を組み合わせて施錠するダイヤル錠（１２）を備えたケース本体（１１）に、強制解除鍵で開閉するシリンダー錠（４５）を備えた開錠操作片（４２）と、前記スライドファスナー（４）の把手片（６）をロックする挿入溝部（１６）と、前記ダイヤル錠（１２）の各ダイヤル円盤（２５）にそれぞれ表記した数字を表示する表示窓部（１８ａ、１８ｂ）を有した蓋体（１５）を取付けてなり、前記蓋体（１５）に設けた表示窓部に、前記ダイヤル円盤（２５）に表記した数字を拡大表示する拡大レンズ（２２ａ、２２ｂ）を取付けてなることを特徴とする旅行かばん用ダイヤル式施錠装置。
【請求項２】
前記蓋体（１５）に設けた表示窓部（１８ａ）は、前記ダイヤル錠（１２）のダイヤル円盤（２５）に表記した０〜９の数字をそれぞれ表示する複数の表示孔（１９）を設け、該表示孔の内周縁にそれぞれ拡大レンズ（２２ａ）を取付けてなることを特徴とする請求項１記載の旅行かばん用ダイヤル式施錠装置。
【請求項３】
前記蓋体（１５）に設けた表示窓部（１８ｂ）の裏面に、板状に形成した一枚の拡大レンズ（２２ｂ）を取付けてなることを特徴とする請求項１記載の旅行かばん用ダイヤル式施錠装置。
【請求項４】
前記拡大レンズ（２２ａ）は、合成樹脂製の凸レンズであることを特徴とする請求項１または２記載の旅行かばん用ダイヤル式施錠装置。
【請求項５】
前記拡大レンズ（２２ｂ）は、合成樹脂製のシート状レンズであることを特徴とする請求項１または３記載の旅行かばん用ダイヤル式施錠装置。
【考案の詳細な説明】
【技術分野】
【０００１】
本考案は、旅行かばん、特にファスナー開閉型の旅行かばんに取付ける無断開蓋防止用のダイヤル式施錠装置の改良に関する。
【背景技術】
【０００２】
従来、大型の旅行かばん、特に合成繊維材または合成樹脂材からなるかばん本体と蓋体とをスライドファスナーで開閉可能に形成してなる旅行かばんは、前記スライドファスナーのスライダーを操作する把手片をロックすることにより、無断開蓋を防止する施錠装置が取付けられている。さらに、前記旅行かばんは、長手方向の一側面中央にかばんを持ち上げるための提げ手と、移動時にかばんを引張るための補助ハンドルの二種類が取付けられ、かばん本体の底面の片側または四隅に移動用のキャスタが取付けられているものがある。
【０００３】
前記旅行かばんに取付けられた施錠装置は、複数の数字を組み合わせてロック・アンロックするダイヤル式錠や、鍵によりロック・アンロックするシリンダー式錠などが知られている（例えば、特許文献１、２、３）。
【先行技術文献】
【特許文献】
【０００４】
【特許文献１】実用第３０６０２１３号
【特許文献２】実用第３１３３８７９号
【特許文献３】特開２０１３−２２１３５７号
【０００５】
また、昨今の海外旅行用のかばん、特にアメリカ圏を旅行するかばんは、ＴＳＡ錠の取付けが義務付けられている。ＴＳＡ錠とは、アメリカ運輸保安局（Transportation Security Administration）が治安維持のために係官が保有する鍵である。アメリカは、貿易センタービルへの多発テロ後、爆発物および危険物検査のためにアメリカ国内の全ての空港で、アメリカへの出入国とアメリカ国内のフライトに際して税関で、旅行かばんの内容物を検査できるように、ＴＳＡ鍵で開錠できるようにしたものである。したがって、前記ＴＳＡ鍵で開錠できる旅行かばんの施錠装置は、ＴＳＡ錠の他、安全のためダイヤル錠またはシリンダー錠、さらにはダイヤル錠とシリンダー錠を併用した施錠装置が取付けられている。
【０００６】
特にダイヤル式施錠装置は、それぞれ表面に小さく０〜９までの数字を表記した複数のダイヤル円盤の下部にロック溝を有した切欠輪をそれぞれ同軸に取付け、前記切欠輪のロック溝とスライドシャフトの係止爪部を嵌合または離脱させることによりロックまたはアンロックさせてスライダーの把手片を施錠可能に形成してある。
【０００７】
しかし、前記施錠装置に取付けたダイヤル円盤の表面に表記してある数字は小さく、また、表示窓部に表記される文字もダイヤル円盤の文字がそのまま表示されるため、数字が小さく読みにくい。そのため、数字を合わせて開錠するのに手間がかかり大変である。特に高齢者にとって、小さい字や数字は見難くダイヤルを合わせるのに時間がかかり大変であるなどの問題点を有している。
【考案の概要】
【考案が解決しようとする課題】
【０００８】
そこで本考案が解決しようとする課題は、スライドファスナーで開閉する旅行かばんに取付けられたダイヤル式施錠装置において、ダイヤル円盤の小さくて見にくい数字を表示する表示窓部を改良することにより、表示窓部に表示される数字を大きくして見やすくして高齢者は勿論、緊急時にかばんを開けるときに数字の合わせ間違いを防止し、間違いによるパニックなどを防止することを目的とする。
【課題を解決するための手段】
【０００９】
本考案は、合成繊維材または合成樹脂材などにより形成した旅行かばん１を構成するかばん本体２と蓋体３を開閉可能にするスライドファスナー４のスライダー５を操作する把手片６をロック・アンロックするダイヤル式施錠装置において、複数のダイヤル円盤２５にそれぞれ表記した数字を組み合わせて施錠するダイヤル錠１２を備えたケース本体１１に、強制解除鍵で開閉するシリンダー錠４５を備えた開錠操作片４２と、前記スライドファスナー４の把手片６をロックする挿入溝部１６と、前記ダイヤル錠１２の各ダイヤル円盤２５にそれぞれ表記した数字を表示する表示窓部１８ａまたは１８ｂを有した蓋体１５を取付けてなり、前記蓋体１５に設けた表示窓部に、前記ダイヤル円盤２５に表記した数字を拡大表示する拡大レンズ２２ａまたは２２ｂを取付けてなることを特徴とする。また、前記蓋体１５に設けた表示窓部１８ａは、前記ダイヤル錠１２のダイヤル円盤２５に表記した０〜９の数字をそれぞれ表示する複数の表示孔１９を設け、該表示孔の内周縁にそれぞれ拡大レンズ２２ａを取付けてなることを特徴とする。さらに、前記蓋体１５に設けた表示窓部１８ｂの裏面に、板状に形成した一枚の拡大レンズ２２ｂを取付けてなることを特徴とする。また、前記拡大レンズ２２ａが、合成樹脂製の凸レンズであることを特徴とする。さらにはまた、前記拡大レンズ２２ｂが、合成樹脂製のシート状レンズであることを特徴とするものである。
【００１０】
したがって、ダイヤル式施錠装置１０の蓋体１５に設けた表示窓部１８に拡大レンズ２２を取付けたことにより、ダイヤル円盤２５の所定数字を拡大表示することができるので見誤りを防止することができ、高齢者にとって見やすくなり確実に開錠することができる。さらには、緊急の場合でも数字が大きく見えるので、見誤りによる操作ミスを防止することができ便利である。
【図面の簡単な説明】
【００１１】
【図１】本考案にかかるダイヤル式施錠装置を取付けた旅行かばんの斜視図である。
【図２】旅行かばんに取付けたダイヤル式施錠装置の拡大平面図である。
【図３】ダイヤル錠に取付けた拡大レンズの第１の実施の形態を示す平面図である。
【図４】図３のＡ―Ａ線断面図である。
【図５】図４の要部拡大断面図である。
【図６】拡大レンズに表示されたダイヤル円盤の平面図である。
【図７】ダイヤル錠に取付けた拡大レンズの第２の実施の形態を示す平面図である。
【図８】図７の要部断面図である。
【考案を実施するための形態】
【００１２】
本考案の実施の形態を図面に基づいて説明すると、図１は本考案にかかるダイヤル式施錠装置を取付けた旅行かばんの斜視図、図２は旅行かばんに取付けた状態のダイヤル式施錠装置の拡大平面図、図３はダイヤル錠に取付けた拡大レンズの第１の実施の形態を示す平面図、図４は図３のＡ―Ａ線断面図、図５は図４の要部拡大断面図、図６は拡大レンズに表示されたダイヤル円盤の平面図である。旅行かばん１は、合成繊維材または合成樹脂材からなり、荷物を収納するかばん本体２と蓋体３とをスライドファスナー４で開閉可能に形成してある。  
【００１３】
前記スライドファスナー４は、かばん本体２に取付けたダイヤル式施錠装置１０にスライダー５の把手片６を位置させてロックまたはアンロックすることにより無断開蓋を防止している。また、前記旅行かばん１のかばん本体２は、長手方向の一側面中央にかばんを持ち上げるための把手部７と、移動時にかばんを引張るための牽引ハンドル８の二種類が取付けられ、底面の片側または四隅に移動用のキャスター９が取付けられている。
【００１４】
前記ダイヤル式施錠装置１０は、図２、３、４に示すごとく、ケース本体１１と蓋体１５とからなり、ケース本体１１の外底面に前記かばん本体２に取付ける係止凸部１４を設け、内部にダイヤル錠１２を配置してある。このダイヤル錠１２は、図５に示すごとく、複数の支持軸１３にダイヤル円盤２５とカム円盤２７を回動可能にそれぞれ軸支し、該カム円盤の周縁に設けた切欠溝部２８に係止する係止爪部３１を有したスライドシャフト３０と、該スライドシャフトの摺動により、前記蓋体１５の挿入溝部１６に位置したスライダー５の把手片６をロックまたはアンロックするロックシャフト（図示せず）を操作する開錠操作片４２と連動可能に取付けてある。
【００１５】
蓋体１５は、図３、４に示すごとく、前記ケース本体１１に収納したダイヤル錠１２を構成する複数のダイヤル円盤２５の一部２５ａ露出させて操作する操作凹部１７と、ダイヤル円盤２５の表面に設けた向けた０〜９の数字いずれかを表示する表示窓部１８ａと、スライドファスナー４のスライダー５に取付けた把手片６を挿入する挿入溝１６と、前記把手片６をロック・アンロックするロックシャフト（図示せず）を操作する開錠操作片４２を取付けてある。この開錠操作片４２は、中央にＴＳＡ錠（以下、シリンダ錠という）４５を備え、開錠操作片４２がロック状態のままでもシリンダー錠４５を回動させることにより、ロックシャフト（図示せず）を作動させて開錠可能に形成してある。
【００１６】
このシリンダ錠４５を有したダイヤル式施錠装置１０は、前記したごとく、ダイヤル錠１２でロックした状態でも、シリンダ錠４５に強制解除鍵を差し込み操作することにより、ロックシャフトをアンロックさせて開錠することができる。したがって、アメリカ運輸保安局の基準をクリアすることができる。  
【００１７】
前記蓋体１５に設けた表示窓部１８ａは、図４、５に示すごとく、各ダイヤル円盤２５の数字で、開錠番号を表示する位置にそれぞれ表示孔１９を設け、該表示孔に当該数字のみを拡大表示する第１の実施の形態である拡大レンズ２２ａをそれぞれ取付けてある。この拡大レンズ２２ａは、倍率を少なくとも２から３倍程度の倍率に形成し、ガラス製または合成樹脂製で、好ましくは破損の心配がない合成樹脂製の凸レンズを取付けてある。合成樹脂製の凸レンズは、衝撃に強く、また耐久性を有することから、荷物として乱暴に取り扱うことが多い旅行かばん用としては最適である。
【００１８】
前記拡大レンズ２２ａは、図５に示すごとく、蓋体１５に設けた表示窓部１８ａに設けた各表示孔１９の上方に設けた係止溝部２０に拡大レンズ２２ａの周縁を嵌合し、下部に位置するダイヤル円盤２５の上面で周縁に一定間隔で位置した各文字の一つの文字と合致する位置に取付けてある。
【００１９】
図７、８はダイヤル式施錠装置１０のダイヤル錠２５に取付けた第２の実施形態を示す拡大レンズ２２ｂで、各ダイヤル円盤２５の数字で、指定した開錠番号を表示する位置に設けた表示窓部１８ｂに、一枚の合成樹脂材で板状に形成したシート状レンズを取付けてある。したがって、横長に形成した一枚のシート状レンズからなる拡大レンズ２２ｂを取付けることにより、表示窓部１８ｂの構造が簡単でコストも安価で経済的である。
【００２０】
この拡大レンズ２２ｂは、倍率を少なくとも２から３倍程度の倍率に形成し、合成樹脂材で扁平に形成したことにより破損の心配がなく、接着剤を用いて取付けることができる。また、合成樹脂製のシートレンズは、衝撃に強く、また耐久性を有することから、荷物として乱暴に取り扱うことが多い旅行かばん用としては最適である。
尚、拡大レンズ２２ａ、２２ｂの倍率は、２〜３倍に限るものではなく、それより高い倍率でもよいことはもちろんである。
【００２１】
前記ダイヤル式施錠装置１０の開錠は、蓋体１５の操作凹部１７にダイヤル錠１２を構成するダイヤル円盤２５の一部を露出させた露出部２５ａを時計方向または反時計方向に回動させて表示窓部１８ａの表示孔１９または、表示窓部１８ｂに該当する数字を順次表示させることにより開錠できる。
【００２２】
ダイヤル円盤２５の数字をそれぞれ回動させて指定した開錠番号に合わせると、連動するカム円盤２７の切欠溝部２８と、スライドシャフト３０の係止爪部３１がそれぞれ合致して嵌合するとスライドシャフト３０が摺動して前記開錠操作片４２をアンロックして操作可能とする。次いで、開錠操作片４２を摺動させることにより、把手片６をロックしているロックシャフトがアンロック位置に移動して開錠する。
【００２３】
前記ダイヤル円盤２５の数字が指定した開錠番号と不一致の場合、ダイヤル円盤２５と同軸で連動して回転するカム円盤２７の切欠溝部２８とスライドシャフト３０の係止爪部３１が合致しないため、スライドシャフト３０を摺動させることができない。したがって、開錠操作片４２はロック状態のままであるため、ロックシャフトを操作することができず、把手片６は閉錠したままである。
【００２４】
以下、本考案の実施の形態の作用について説明すると、スライドファスナー４で開閉する旅行かばん１に取付けたダイヤル式施錠装置１０は、ケース本体１１に収容したダイヤル錠１２が、それぞれ独立して回動する複数のダイヤル円盤２５と、該ダイヤル円盤と同軸で連動して回転するカム円盤２７と、該カム円盤の周縁でそれぞれ相違する位置に設けた切欠溝部２８にそれぞれ係止する係止爪部３１を有したスライドシャフト３０と、該スライドシャフトの摺動により蓋体１５に設けた開錠操作片４２を作動または停止させることにより、該開錠操作片の摺動で作動するロックシャフトで挿入溝部１６に挿入したスライダー５の把手片６をロックまたはアンロック可能に構成されている。
【００２５】
ダイヤル式施錠装置１０の開錠は、蓋体１５の操作凹部１７に並列した各ダイヤル円盤の露出部２５ａを周方向に回動させることにより、表示窓部１８の表示孔１９に指定数字を順次表示させる。この際、表示窓部１８ａの表示孔１９に拡大レンズ２２ａ、または表示窓部１８ｂに拡大レンズ２２ｂを取付けたことにより、開錠操作を行うときに数字が拡大されて見やすくすることができるので、数字間違えを防止して確実に該当数字を選別することができる。特に、小さい数字が見えにくい高齢者にとって、数字が拡大されて表示されることは、数字の見誤りを防止して確実に開錠操作を行うことができる。
【００２６】
次いで、前記ダイヤル円盤２５の数字を指定した開錠番号に合わせると、カム円盤２７の切欠溝部２８にスライドシャフト３０の係止爪部３１がそれぞれ合致して嵌合し、スライドシャフト３０がばね（図示せず）の反発力により摺動する。このスライドシャフト３０が摺動して移動することにより、スライドシャフトでロックされていた開錠操作片４２が作動可能となる。ついで、該開錠操作片を作動させてロックシャフトが移動すると、ロックシャフトの一端は、把手片６から外れてアンロックさせることができる。
【００２７】
前記ダイヤル円盤２５の数字が指定した開錠番号と不一致の場合は、ダイヤル円盤２５と同軸で連動して回転するカム円盤２７の切欠溝部２８とスライドシャフト３０の係止爪部３１が嵌合しないため、スライドシャフト３０が移動することができない。そのため、スライドシャフト３０によりロックされている開錠操作片４２は、ロック状態のままとなり連動するロックシャフトを操作できないので把手片６はロック状態を維持する。  
【００２８】
前記したごとく、ダイヤル式施錠装置１０の表示窓部１８ａの表示孔１９に拡大レンズ２２ａを、または、表示窓部１８ｂに拡大レンズ２２ｂを取付けたことにより、ダイヤル円盤２５の数字を見やすくすることができるので、数字間違えを防止して確実に該当数字を選別することができ、また、高齢者にとって、数字が拡大されて表示されることは、誤作動を防止して確実に開錠操作を行うことができる利点を有するものである。
【符号の説明】
【００２９】
１      旅行かばん
２      かばん本体
３      蓋体
４      スライドファスナー
５      スライダー
６      把手片
７      把手部
８      牽引ハンドル
９      キャスタ
１０    ダイヤル式施錠装置
１１    ケース本体
１２    ダイヤル錠
１３    支持軸
１４    係止凸部
１５    蓋体
１６    挿入溝部
１７    操作凹部
１８ａ  表示窓部
１８ｂ  表示窓部
１９    表示孔
２０    係止溝部
２２ａ  拡大レンズ
２２ｂ  拡大レンズ
２５    ダイヤル円盤
２７    カム円盤
２８    切欠溝部
３０    スライドシャフト
３１    係止爪部
４２    開錠操作片
４５    シリンダー錠
【図１】
0003193601.tif 000003
【図２】
0003193601.tif 000004
【図３】
0003193601.tif 000005
【図４】
0003193601.tif 000006
【図５】
0003193601.tif 000007
【図６】
0003193601.tif 000008
【図７】
0003193601.tif 000009
【図８】
0003193601.tif 000010